(57)【特許請求の範囲】
【請求項１】
記録トラックの所定の情報記録領域に、映像・音響情報が、複数のブロックであるチャプタ−に区分され、さらに、複数のチャプター分が１グループであるタイトルとして区切られ、その各チャプターおよび各タイトルが時系列的に順序づけられた配置で記録されているとともに、リードインエリアのＴＯＣ領域に、前記各チャプターおよび各タイトルの記録位置が記録開始位置からの経過時間情報に対応させたアドレス番号で記録され、且つ前記アドレス番号が前記チャプターおよびタイトルの記録領域に関連付けて記録されてなる光ディスクの前記映像・音響情報を再生する情報再生装置において、
本装置をオフタイマー設定モードに設定するモード設定手段と、
前記オフタイマー設定モードの設定時に、オフタイマー機能が前記チャプターまたはタイトルの何れの指定による種別かを選択して入力する機能選択手段と、
前記オフタイマー機能の種別の選択後に前記チャプターまたはタイトルの番号を数字で指定するオフタイマー設定入力手段と、
前記オフタイマー設定入力手段からの数字データをオフタイマーデータとして記憶するメモリと、
前記オフタイマー設定モードの設定時に、前記ＴＯＣ領域の記録情報を読み出して表示させ、且つオフタイマー機能の種別と前記チャプターまたはタイトルの種別との指定入力を促す表示を行わせたのち、オフタイマー設定モードに移行させて、前記映像・音響情報の再生に伴って前記情報記録媒体の記録トラックから順次読み出される番号に対応する数字データが前記メモリに記憶された数字データと同一となったか否かの監視を行い、同一になったと判別した時点で再生動作を停止させるとともに、電源をオフさせる制御手段と、
を備えることにより、前記チャプター単位またはタイトル単位でのオフタイマー機能を可能としたことを特徴とする情報再生装置。
【発明の詳細な説明】
【０００１】
【発明の属する技術分野】
本発明は、ディスク式情報記録媒体に記録された映像・音響情報を再生させる情報再生装置に係り、特に、スリープタイマ機能によりオフタイマー動作で自動的に再生を停止し得る情報再生装置に関する。
【０００２】
【従来の技術】
ユーザーがＡＶ機器等の使用中に寝入ることがあっても、自動的に機能を停止させるスリープタイマ機能は、通常、専用キーの操作によりオフタイマー時間を入力しておくと、その時間で動作が停止するようになっている。
しかし、このような時間設定は、１０分や２０分単位で入力する必要があり、設定操作が面倒なことから、ディスク再生装置の場合に、その機能を活用して操作性を向上させることを目的としたオーディオ装置が提案されている（特開平７−１５３１７３号公報参照）。
このオーディオ装置は、主要部にディスク再生モード選択判定手段とスリープタイマ時間設定手段とを備えて構成されており、ディスク再生モードにおいて、キー操作によりスリープタイマ機能が選択されると、ディスク再生装置に挿入されているディスクの最大演奏時間が自動的にスリープタイマにセットされる。
すると、このセットされた最大演奏時間でスリープタイマの動作により、音響再生が停止するので、スリープタイマ機能の操作が簡略化され、操作性が高められるというものである。
【０００３】
【発明が解決しようとする課題】
ところで、上記従来のオーディオ装置は、ディスクの再生が開始されてから後、そのディスク特有の最大演奏時間にならなければ再生動作が停止せず、それまでにユーザーが寝入ってしまうことがあると、以後の残り時間が長い分だけ電力の浪費になるという欠点があった。
また、この種のスリープタイマ機能は、一般に時間設定が基本であり、ディスク再生装置では操作が軽減されるものの、この２種に限られていることから、選択範囲が狭いものであった。
【０００４】
本発明は、上記課題に鑑みて創案されたもので、ディスク式情報記録媒体に記録された映像・音響情報の記録区分を利用して自動的に再生を停止させることができる情報再生装置を提供することを目的としている。
【０００５】
【課題を解決するための手段】
上記目的を達成するため、本発明は、記録トラックの所定の情報記録領域に、映像・音響情報が、複数のブロックであるチャプタ−に区分され、さらに、複数のチャプター分が１グループであるタイトルとして区切られ、その各チャプターおよび各タイトルが時系列的に順序づけられた配置で記録されているとともに、リードインエリアのＴＯＣ領域に、前記各チャプターおよび各タイトルの記録位置が記録開始位置からの経過時間情報に対応させたアドレス番号で記録され、且つ前記アドレス番号が前記チャプターおよびタイトルの記録領域に関連付けて記録されてなる光ディスクの前記映像・音響情報を再生する情報再生装置において、本装置をオフタイマー設定モードに設定するモード設定手段と、前記オフタイマー設定モードの設定時に、オフタイマー機能が前記チャプターまたはタイトルの何れの指定による種別かを選択して入力する機能選択手段と、前記オフタイマー機能の種別の選択後に前記チャプターまたはタイトルの番号を数字で指定するオフタイマー設定入力手段と、前記オフタイマー設定入力手段からの数字データをオフタイマーデータとして記憶するメモリと、前記オフタイマー設定モードの設定時に、前記ＴＯＣ領域の記録情報を読み出して表示させ、且つオフタイマー機能の種別と前記チャプターまたはタイトルの種別との指定入力を促す表示を行わせたのち、オフタイマー設定モードに移行させて、前記映像・音響情報の再生に伴って前記情報記録媒体の記録トラックから順次読み出される番号に対応する数字データが前記メモリに記憶された数字データと同一となったか否かの監視を行い、同一になったと判別した時点で再生動作を停止させるとともに、電源をオフさせる制御手段と、を備えることにより、前記チャプター単位またはタイトル単位でのオフタイマー機能を可能としたことを特徴としている。
【０００６】
【発明の実施の形態】
以下、本発明の実施の形態について、図示例を参照しながら説明する。
図１は、本発明に係る情報再生装置の電気的構成を示すブロック線図である。
この情報再生装置は、ＤＶＤプレイヤー１に適用されたもので、リモコン２０（リモートコントローラ）の押キー操作によりＤＶＤ２の記録情報を再生し、モニタ１１の画面に所望の映像を表示させる構成になっている。
このＤＶＤ２は、記録トラックの情報記録領域に、本例では、「映画」の映像・音響情報が記録されている。
なお、ＤＶＤ２は、情報記録領域に映像・音響情報をディジタルデータで書き込むとき、スパイラル状の記録トラックにおける細かなポイント（位置）を示すためのアドレスが予めふられている。このアドレスは、映像・音響情報の最初の記録位置から最後の記録位置までの経過時間に対応している。
【０００７】
映画等においては、その映像・音響情報が複数のブロックに区分されることにより、それぞれはチャプター（章）と称され、さらに、この複数のチャプターが１グループとして区切られることにより、１つのタイトル（題名）が与えられる。このタイトルは、１枚のＤＶＤでは複数となるため１番目のチャプターから時系列的に順序づけられて記録されている。
また、このＤＶＤ２は、リードインエリヤのＴＯＣ領域に、前記各チャプターおよび各タイトルの記録位置が記録開始位置（タイトル番号１のチャプター１番目）からの経過時間情報に対応させたアドレスデータで記録されている。
よって、このＴＯＣ領域のデータが読み出されると、記録トラックの情報記録領域に記録された映画のタイトル番号、チャプター番号、これらの記録開始および終了位置、さらに、詳細な記録時間等をモニタ１１の画面に表示可能となっている。
【０００８】
図１において、４は駆動系のモータであり、前記ＤＶＤを回転駆動させる。また、３は光ピックアップであって、ＤＶＤ２のトラックから光学的に読み取った情報を読出部６に送出するようになっている。なお、モータ４や光ピックアップ３は、サーボ制御部５により動作速度が制御される。前記読出部６は、ＤＶＤ２から読み出された圧縮映像音声データを分離化部７に送出する。また、この分離化部７は、圧縮映像音声データを圧縮映像データバケットと圧縮音声データバケットとに分離し、伸長部８へ伝送する。この伸長部８は、前記分離化部７により分離された圧縮映像データバケットおよび圧縮音声データバケットをそれぞれ複号して元の映像音声情報に伸長する。これら読出部６、分離化部７および伸長部８は、一般にデコーダＩＣにより構成されている。
【０００９】
また、９は映像情報出力部であって、前記伸長部８により伸長された映像データを、例えば、テレビ等のモニタ１１の画面に表示させるべくＮＴＳＣあるいはＰＡＬ方式のカラーテレビジョン信号に変換して出力する。
１０は音声情報出力部であり、前記伸長部８により伸長された音声データをスピーカ１２に送出して放音させる。
１３は電源部であり、差込プラグ１４が接続される一方、回路各部に接続されている。また、制御部１９と双方向性に接続されており、差込プラグ１４をコンセントに差込接続すると、交流商用電圧が導入されて、回路各部に直流電圧を供給可能となっている。
この電源部１３は、スイッチを備えており、通常は閉成しているが、制御部１９からのオフ制御信号によって開成し、回路各部への電圧供給を停止させる。
１４は受信部であり、リモコン２０から送信されてくる赤外線信号を受信し、伝送信号を制御部１９側に送出する。
１６は計時用のタイマ、１７は時間のカウンタであり、それぞれが制御部１９に接続されている。また、１８は各種データを記憶するメモリであり、リモコン２０からの停止設定データをオフタイマーデータとして記憶する。
【００１０】
１９はマイクロコンピュータからなる制御部であり、リモコン２０からの指令信号に対応したモードに移行し、サーボ制御部５に制御信号を送出して駆動機構を制御することにより、通常の再生、スロー再生、早送り、早戻しおよび停止といった各種動作を実行する。
また、記読出部６、分離化部７および伸長部８等の動作制御を行い、ＤＶＤ２の記録情報を読み出してモニタ１１の画面に映像を表示させ、かつスピーカ１２から音声を放音させる構成となっている。
特に、リモコン２０の操作によるオフタイマー設定時、前記チャプターやタイトルの番号および停止時間等を指定させる表示をモニタ１１の画面に行わせ、この表示内容に従って指定された各入力データをメモリ１６に記憶させた後、ＤＶＤ２の再生時に、メモリ１６の予約データに基づいて自動的に再生動作を停止させ、かつ電源部１３をオフさせる制御を行うようになっている。
【００１１】
図２は、ＤＶＤプレイヤーのリモコンを示す外観図である。
このリモコン２０は、リモコン本体のキー入力部２１にＤＶＤプレイヤー１を操作するための各種操作キーが配設されている。
この操作キーとしては、一般のリモコンと同様、電源オン・オフ用のパワーキー２１ａ、トレイ開閉用の開閉キー２１ｂ、再生設定画面の入／切操作用の再生設定キー２１ｃ、プログラム再生設定用のプログラムキー２１ｄ、設定内容を決定するための決定キー２１ｅ、タイトルやチャプター（ＣＤはトラック）の区間Ａ，Ｂを指定する区間設定キー２１ｆ等を備えている。
また、２１ｇはオフタイマーキーであり、このキーを押圧操作すると、モニター１１の画面に入力を促す文字を表示させ、テンキー２２の操作によるオフタイマーの停止種別や停止位置を入力可能となっている。
このテンキー２２はタイトル、チャプターおよびトラック等の番号や停止時間を入力するのに用いられる。２２ａは誤入力修正用のクリヤキー、２２ｂは入力内容をメモリ１６に記憶させるメモリキーである。
２３は機能キーであり、プレイキー、ストップキー、コマ送りキーその他からなる。２４は初期設定やプログラム再生でカーソルを移動させるカーソルキーである。
このリモコン２０は、キー入力部２１の何れかのキーが押圧操作されると、この操作内容に応じた情報が赤外線信号でＤＶＤプレイヤー１側に送信されるようになっている。
【００１２】
次に、上記ＤＶＤプレイヤーの動作について、図３および図４のフローチャートを参照しつつ説明する。
ユーザーが、ＤＶＤ２に記録された映画を再生したい場合、このＤＶＤ２をＤＶＤプレイヤー１にセットしておく。
そして、オフタイマー設定するときは、図２に示すリモコン２０のキー入力部２１でパワーキー２１ａを操作し、次にオフタイマーキー２１ｇを操作する。
このキー操作に応じて、制御部１９がオフタイマー設定モードに移行し、ＤＶＤ１の記録トラックから映像・音響情報およびこれに関した記録情報を読み込み、図１に示すモニタ１１の画面にオフタイマー設定を促す文字を表示する。
この表示内容を見たユーザーは、自分が再生停止させたいオフタイマー機能の種別をオフタイマーキー２１ｇの操作回数によって指定することができる。
【００１３】
このオフタイマー設定モードにおいて、制御部１９は、まず、オフタイマーキー２１ｇが１回操作されたか否かを判断し（ステップＳ１）、１回操作されたときは、画面に停止時間の入力を要求する文字やブランク等を表示させる（ステップＳ２）。
ここで、ユーザーが各ブランクに３０分、１時間といった停止時間を示す数字を入力した後、メモリキー２２ｂを操作すると、各データがリモコン２０の送信部から送出される。そして、ＤＶＤプレイヤー１の受信部で受信されると制御部１９がメモリ１６に記憶させる（ステップＳ３）。
この後、モニタ１１の画面に「オフタイマー設定完了」といった文字を表示させ（ステップＳ１０）、オフタイマー設定モードを離脱する。
一方、ユーザーが所定時間内にオフタイマーキー２１ｇを入力操作しないときは、このキーが２回操作されたか否かを判断し（ステップＳ４）、２回操作されたときは、画面に停止させたいタイトル番号の入力を要求する文字やブランク等を表示させる（ステップＳ５）。
【００１４】
ここで、ユーザーが各ブランクに停止位置を示すタイトル番号の数字を入力した後、メモリキー２２ｂを操作すると、この入力データがメモリ１６に記憶される（ステップＳ６）。
そして、モニタ１１の画面に「オフタイマー設定完了」の文字を表示させ（ステップＳ１０）、オフタイマー設定モードを離脱する。
一方、ユーザーが所定時間内にオフタイマーキー２１ｇを入力操作しないときは、このキーが３回操作されたか否かを判断し（ステップＳ７）、３回操作されたときは、画面に停止させたいタイトル番号のチャプター番号を要求する文字やブランク等を表示させる（ステップＳ８）。
ここで、ユーザーが各ブランクに停止位置を示すチャプター番号の数字を入力した後、メモリキー２２ｂを操作すると、この入力データがメモリ１６に記憶される（ステップＳ９）。
そして、モニタ１１の画面に「オフタイマー設定完了」の文字を表示させ（ステップＳ１０）、オフタイマー設定モードを離脱する。
一方、ユーザーが所定時間内にオフタイマーキー２１ｇを入力操作しないときは、オフタイマー設定モードを終了する（ステップＳ１１）。
【００１５】
この後、制御部１９は、オフタイマー設定時の処理に入り、ユーザーがキー入力部２１でプレイキーを操作すると、再生モードに移行して駆動系の動作を開始させるとともに、読出部６に対し読出開始指令を送出して再生を開始する（ステップＳ２１）。
この再生モードにおいては、ＤＶＤ２が回転するに伴って、読出部６の光ピックアップ４により記録トラックの情報が読み取られる。すると、モニタ１１の画面に再生映像が映し出され、スピーカ１２からは音声が放音される。よって、ユーザーは、あるタイトル番号の映画を聴取することができる。
この再生中、制御部１９は、メモリ１６の記憶データを監視し、停止設定位置となるか否かを判断する（ステップＳ２２）。
すなわち、ユーザーが３０分、１時間といった停止時間を設定していたときは、制御部１９がカウンタ１７による時間カウントの開始後、カウントアップした時点で駆動系の動作を停止させる（ステップＳ２３）。
また、制御部１９は、電源部１３にオフ制御信号を送出し、スイッチを開成させて回路各部への電圧供給を停止させる（ステップＳ２４）。
これにより、ユーザーが映画を見ながら寝入ることがあっても、設定時間で再生動作が自動的に停止し、電源部１３がオフとなるので、無駄な電力消費が回避される。
【００１６】
ところで、ユーザーが停止させたいタイトル番号を１番あるいは２番といったように設定していたときは、制御部１９がメモリ１８の数字データとタイトル番号とが一致した時点で再生動作を停止させ、電源部１３をオフさせる（ステップＳ２３，Ｓ２４）。
よって、ユーザーが映画を見ながら寝入ることがあっても、あるタイトル番号の映画が終了した時点で全動作が止まるから、これ以後の無駄な電力消費が回避される。
また、ユーザーが停止させたいタイトル番号のチャプターを１０番目あるいは２０番目といったように設定していたときは、制御部１９がメモリ１８の数字データとチャプター番号とが一致した時点で再生動作を停止させ、電源部１３をオフさせる（ステップＳ２３，Ｓ２４）。
よって、ユーザーが映画を見ながら寝入ることがあっても、あるタイトル番号の映画の途中で全動作が止まるから、これ以後の無駄な電力消費が回避されるものである。
【００１７】
なお、上記オフタイマー設定においては、再生停止を時間、タイトル番号またはチャプター番号といったようにそれぞれ個別に入力設定する場合について説明したが、タイトル番号と時間やチャプター番号と時間との組み合わせによる入力設定も可能である。
タイトル番号と時間で再生停止を設定する場合は、オフタイマーキー２１ｇの操作回数を４回にするか、所定の時間以上操作し続けたとき、両者の組み合わせ入力が可能なようにモニタ１１の画面で入力を促す文字を表示し、これに従ってユーザーが入力するとメモリ１８にデータを記憶させる構成とすればよい。
また、チャプター番号と時間で再生停止を設定する場合は、オフタイマーキー２１ｇを所定の時間以上操作し続けたとき、両者の組み合わせ入力が可能なようにモニタ１１の画面で入力を促す文字を表示し、これに従ってユーザーが入力するとメモリ１８にデータを記憶させる構成としてもよい。
これにより、タイトル番号と時間で再生停止を設定した場合は、ある映画の再生が開始されてから、何分後かに全動作を停止させることができる。
また、チャプター番号と時間で再生停止を設定したときは、ある映画の再生が開始されてから、あるシーンの途中の何分後かに全動作を停止させるといったことができる。
【００１８】
なお、上記実施の形態においては、映像情報再生装置をＤＶＤプレイヤーに適用する例について説明したが、ＣＤプレイヤー等にも採用することができる。
普及型のＣＤプレイヤーは、ＣＤに記録された楽曲情報をプログラム再生するので、ユーザーは前述の場合と同様、専用リモコンの操作により、オフタイマーの設定を行う。
ここでは、オフタイマーキーを所定回数操作したとき、モニタの画面に表示される入力要求の文字やブランクに従ってオフタイマーの種別や数字を入力する。すると、これらのデータがメモリに記憶される。
この後、ＣＤプレイヤーの制御部は、オフタイマー設定時の処理を行い、所要の停止位置で全動作を停止させる。
このため、ユーザーがある楽曲を聴取しながら寝入ることがあっても、長時間にわたって再生動作が続くことはないから、電力消費の無駄が抑制される。
【００１９】
【発明の効果】
以上説明したように、本発明は、本装置をオフタイマー設定モードに設定するモード設定手段と、前記オフタイマー設定モードの設定時に、オフタイマー機能が前記チャプターまたはタイトルの何れの指定による種別かを選択して入力する機能選択手段と、前記オフタイマー機能の種別の選択後に前記チャプターまたはタイトルの番号を数字で指定するオフタイマー設定入力手段と、前記オフタイマー設定入力手段からの数字データをオフタイマーデータとして記憶するメモリと、前記オフタイマー設定モードの設定時に、前記ＴＯＣ領域の記録情報を読み出して表示させ、且つオフタイマー機能の種別と前記チャプターまたはタイトルの種別との指定入力を促す表示を行わせたのち、オフタイマー設定モードに移行させて、前記映像・音響情報の再生に伴って前記情報記録媒体の記録トラックから順次読み出される番号に対応する数字データが前記メモリに記憶された数字データと同一となったか否かの監視を行い、同一になったと判別した時点で再生動作を停止させるとともに、電源をオフさせる制御手段とを備えた構成としたので、チャプター単位またはタイトル単位のオフタイマー機能を設定することができる。そのため、よりきめ細かい動作停止が可能となり、その分だけ電力消費を軽減できる利点がある。また、従来の時間設定によるオフタイマー機能も含めれば、３種類ものオフタイマー方式を提供できる利点がある。
【図面の簡単な説明】
【図１】本発明に係る情報再生装置を備えたＤＶＤプレーヤの電気的構成を示すブロック線図である。
【図２】ＤＶＤプレーヤのリモコンを示す外観図である。
【図３】オフタイマー設定動作を説明するためのフローチャートである。
【図４】オフタイマー設定時の処理動作を説明するためのフローチャートである。
【符号の説明】
２  ディスク式情報記録媒体
１１  表示手段
１８  メモリ
１９  制御手段
２１ｇ  オフタイマーキー（モード設定手段、オフタイマー設定入力手段）
【図１】
0003716387.tif 000002
【図２】
0003716387.tif 000003
【図３】
0003716387.tif 000004
【図４】
0003716387.tif 000005